(57)【特許請求の範囲】
【請求項１】
シュレッダーの周波数変換制御システムであって、
前記シュレッダーに入ってきた被細断物の厚みを検出し、その厚みに基づいて厚み信号を出力する、厚みセンサと、
第一モータ回転速度又は第二モータ回転速度で回転し、前記シュレッダーに動力を提供することができる、変速モータと、
前記変速モータ及び前記厚みセンサに接続され、又、第一対照表を具える制御モジュールであって、前記厚み信号を受信して前記第一対照表内から前記厚み信号に対応するモータ周波数値及びモータ電圧値を取得し、且つ前記モータ周波数値及び前記モータ電圧値を前記変速モータに出力し、前記変速モータが前記第一モータ回転速度又は前記第二モータ回転速度で回転するように制御する、制御モジュールと、を含み、
前記シュレッダーの周波数変換制御システムは、前記シュレッダーを第一モードから第二モードに切り換えることができるモード切換スイッチを更に含み、その内、前記制御モジュールは前記第二モードに対応する第二対照表を更に含み、前記第二対照表は前記厚み信号に対応する設定モータ周波数値及び設定モータ電圧値を含み、前記シュレッダーが前記第二モードに切り替えられた時、前記制御モジュールは前記第二対照表に基づいて前記設定モータ周波数値及び前記設定モータ電圧値を前記変速モータに出力し、それにより前記変速モータは設定モータ回転速度で回転し、
前記第一対照表は、第一厚み値及び前記第一厚み値に対応する第一モータ周波数値及び第一モータ電圧値を含み、前記被細断物の厚みが前記第一厚み値に等しい時、前記制御モジュールは、前記第一モータ周波数値及び前記第一モータ電圧値を出力し、それにより前記変速モータは前記第一厚み値に対応する前記第一モータ回転速度で回転し、
前記第一対照表は、第二厚み値及び前記第二厚み値に対応する第二モータ周波数値及び第二モータ電圧値を含み、前記被細断物の厚みが前記第二厚み値に等しい時、前記制御モジュールは、前記第二モータ周波数値及び前記第二モータ電圧値を出力し、それにより前記変速モータは前記第二厚み値に対応する前記第二モータ回転速度で回転する、
ことを特徴とする、シュレッダーの周波数変換制御システム。
【請求項２】
記第二厚み値は前記第一厚み値より大きく、前記第二モータ回転速度は前記第一モータ回転速度より小さいことを特徴とする、請求項１に記載のシュレッダーの周波数変換制御システム。
【請求項３】
前記制御モジュールは、
交流電源に接続され、前記交流電源からの交流電力を受け取り前記交流電力の周波数及び電圧を変えることができる、周波数変換ユニットと、
前記周波数変換ユニット及び前記厚みセンサに接続され、前記第一厚み信号を受信し前記第一対照表内から前記第一厚み信号に対応する前記第一モータ周波数値及び前記第一モータ電圧値を取得し、且つ前記第一モータ周波数値及び前記第一モータ電圧値を前記周波数変換ユニットに出力することができる、制御ユニットと、を更に含むことを特徴とする、請求項１に記載のシュレッダーの周波数変換制御システム。
【請求項４】
前記周波数変換ユニットは、前記交流電力を直流電力に変換し、更に前記直流電力を三相交流電力に変換し、その内、前記三相交流電力の周波数は前記第一モータ周波数値に等しく、前記三相交流電力の電圧は前記第一モータ電圧値に等しいことを特徴とする、請求項３に記載のシュレッダーの周波数変換制御システム。
【請求項５】
前記シュレッダーの周波数変換制御システムは、前記制御モジュール及び前記変速モータに接続され前記変速モータのパフォーマンスを監視制御することができるモータ監視制御モジュールを更に含み、前記モータ監視制御モジュールは、前記変速モータの温度を検出するための温度センサ、前記変速モータの回転速度を検出するための回転速度センサ、及び前記変速モータの電流を検出するための電流センサを含むことを特徴とする、請求項１に記載のシュレッダーの周波数変換制御システム。
【請求項６】
前記変速モータの回転速度が前記第一モータ回転速度に等しくなるように前記制御モジュールによって制御されたにもかかわらず、前記回転速度センサによって検出された前記変速モータの回転速度が前記第一モータ回転速度より大きいか小さい時、前記回転速度センサは回転速度補償信号を前記制御モジュールに出力し、それにより前記制御モジュールは前記変速モータの回転速度を速くしたり遅くしたりすることを特徴とする、請求項５に記載のシュレッダーの周波数変換制御システム。
【請求項７】
前記第一モータ回転速度の数値は前記第一対照表内に記載されていることを特徴とする、請求項６に記載のシュレッダーの周波数変換制御システム。
【請求項８】
前記電流センサは電流許容誤差を更に含み、前記変速モータの電流が第一モータ電流値に等しくなるように前記制御モジュールによって制御されたにもかかわらず、前記電流センサによって検出された前記変速モータの電流と前記第一モータ電流値の差が前記電流許容誤差より大きい時、前記電流センサは電流検出信号を出力して警告することを特徴とする、請求項５に記載のシュレッダーの周波数変換制御システム。
【請求項９】
前記第一モータ電流値は前記第一対照表内に記載されていることを特徴とする、請求項８に記載のシュレッダーの周波数変換制御システム。
【請求項１０】
前記変速モータの温度が所定の温度値より大きいか等しい時、前記温度センサはストップ信号を前記制御モジュールに出力し、それにより前記制御モジュールは前記変速モータの作動を停止することを特徴とする、請求項５に記載のシュレッダーの周波数変換制御システム。
【請求項１１】
前記シュレッダーの周波数変換制御システムは、前記制御モジュールに接続され被検出物が前記シュレッダーに入ったかどうか検出することができる紙挿入センサを更に含み、その内、前記被検出物が前記シュレッダーに入ってきた時、前記紙挿入センサは起動信号を前記制御モジュールに出力し、それにより前記制御モジュールは前記厚みセンサからの前記厚み信号の受信を開始することを特徴とする、請求項１に記載のシュレッダーの周波数変換制御システム。
【請求項１２】
前記第一モードは省電力モードであり、前記第二モードは高速モードであり、且つ前記高速モードに対応する第一設定モータ周波数値、第一設定モータ電圧値及び第一設定モータ回転速度は、それぞれ、第一高速モータ周波数値、第一高速モータ電圧値及び第一高速モータ回転速度であり、且つ前記第一モータ回転速度は前記第一高速モータ回転速度より小さいことを特徴とする、請求項１に記載のシュレッダーの周波数変換制御システム。
【請求項１３】
前記第一モードは省電力モードであり、前記第二モードはサイレントモードであり、且つ前記サイレントモードに対応する第一設定モータ周波数値、第一設定モータ電圧値及び第一設定モータ回転速度は、それぞれ、第一サイレントモータ周波数値、第一サイレントモータ電圧値及び第一サイレントモータ回転速度であり、且つ前記第一モータ回転速度は前記第一サイレントモータ回転速度より大きいことを特徴とする、請求項１に記載のシュレッダーの周波数変換制御システム。
【請求項１４】
前記第一モードは高速モードであり、前記第二モードはサイレントモードであり、且つ前記高速モードに対応する第一モータ周波数値、第一モータ電圧値及び第一モータ回転速度は、それぞれ、第一高速モータ周波数値、第一高速モータ電圧値及び第一高速モータ回転速度であり、又、前記サイレントモードに対応する第一設定モータ周波数値、第一設定モータ電圧値及び第一設定モータ回転速度は、それぞれ、第一サイレントモータ周波数値、第一サイレントモータ電圧値、及び第一サイレントモータ回転速度であり、且つ前記第一高速モータ回転速度は前記第一サイレントモータ回転速度より大きいことを特徴とする、請求項１に記載のシュレッダーの周波数変換制御システム。
【請求項１５】
前記モード切換スイッチは、更に前記第一モード又は前記第二モードから第三モードへ切り換えることができ、その内、前記第一モードは省電力モードであり、前記第二モードは高速モードであり、前記第三モードはサイレントモードであり、且つ前記高速モードに対応する第一設定モータ周波数値、第一設定モータ電圧値及び第一設定モータ回転速度は、それぞれ、第一高速モータ周波数値、第一高速モータ電圧値及び第一高速モータ回転速度であり、又、前記サイレントモードに対応する第一設定モータ周波数値、第一設定モータ電圧値及び第一設定モータ回転速度は、それぞれ、第一サイレントモータ周波数値、第一サイレントモータ電圧値及び第一サイレントモータ回転速度であり、且つ前記第一サイレントモータ回転速度は前記第一モータ回転速度より小さく、前記第一モータ回転速度は前記第一高速モータ回転速度より小さいことを特徴とする、請求項１に記載のシュレッダーの周波数変換制御システム。
【請求項１６】
シュレッダーの細断速度を制御することができる周波数変換制御方法であって、
前記シュレッダーは厚みセンサ、変速モータ、第一対照表及び第二対照表を含み、且つ前記第一対照表は複数の厚み値及び前記複数の厚み値に対応する複数のモータ周波数値及び複数のモータ電圧値を具え、前記第二対照表は複数の厚み数値及び前記複数の厚み数値に対応する複数の設定モータ周波数値及び複数の設定モータ電圧値を具え、前記方法は、
前記シュレッダーを第一モードと第二モードのどちらで作動させるか選択し、その内、前記第一モードが選択された時は前記第一対照表を採用し、前記第二モードが選択された時は前記第二対照表を採用する手順と、
前記厚みセンサを用いて前記シュレッダーに入ってきた被細断物の厚みを検出する手順と、
前記第一対照表又は前記第二対照表の前記複数の厚み数値内から前記厚みに対応する第一厚み値を検索する手順と、
前記第一厚み値に基づいて、前記第一厚み値に対応する第一モータ周波数値及び第一モータ電圧値、或いは第一設定モータ周波数値及び第一設定モータ電圧値を取得する手順と、
前記第一モータ周波数値及び前記第一モータ電圧値、或いは前記第一設定モータ周波数値及び前記第一設定モータ電圧値を前記変速モータに出力し、前記変速モータが第一モータ回転速度又は第一設定モータ回転速度で回転するように制御する手順と、を含むことを特徴とする、周波数変換制御方法。
【請求項１７】
前記第一モードは省電力モードであり、前記第二モードは高速モードであり、且つ前記高速モードに対応する前記第一設定モータ周波数値、前記第一設定モータ電圧値及び前記第一設定モータ回転速度は、それぞれ、第一高速モータ周波数値、第一高速モータ電圧値及び第一高速モータ回転速度であり、且つ前記第一モータ回転速度は前記第一高速モータ回転速度より小さいことを特徴とする、請求項１６に記載の周波数変換制御方法。
【請求項１８】
前記第一モードは省電力モードであり、前記第二モードはサイレントモードであり、且つ前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、且つ前記第一モータ回転速度は前記第一サイレントモータ回転速度より大きいことを特徴とする、請求項１６に記載の周波数変換制御方法。
【請求項１９】
前記第一モードは高速モードであり、前記第二モードはサイレントモードであり、且つ前記高速モードに対応する前記第一モータ周波数値、前記第一モータ電圧値及び前記第一モータ回転速度は、それぞれ第一高速モータ周波数値、第一高速モータ電圧値及び第一高速モータ回転速度であり、前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、且つ前記第一高速モータ回転速度は前記第一サイレントモータ回転速度より大きいことを特徴とする、請求項１６に記載の周波数変換制御方法。
【請求項２０】
前記周波数変換制御方法は第三モードを更に含み、その内、前記第一モードは省電力モードであり、前記第二モードは高速モードであり、前記第三モードはサイレントモードであり、且つ前記高速モードに対応する前記第一設定モータ周波数値、前記第一設定モータ電圧値及び前記第一設定モータ回転速度は、それぞれ第一高速モータ周波数値、第一高速モータ電圧値及び第一高速モータ回転速度であり、前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、且つ前記第一サイレントモータ回転速度は前記第一モータ回転速度より小さく、前記第一モータ回転速度は前記第一高速モータ回転速度より小さいことを特徴とする、請求項１６に記載の周波数変換制御方法。
【発明の詳細な説明】
【技術分野】
【０００１】
本発明はシュレッダーの周波数変換制御システム及び周波数変換制御方法に関する。
【背景技術】
【０００２】
シュレッダーが被細断物を細断する時、例えば被細断物が複数枚重なっていたり、ＣＤ−ＲＯＭであったりして、被細断物の厚みが厚すぎる場合、しかも厚みがシュレッダーが許容できる範囲を超えている時、紙詰まり（Ｊａｍｍｉｎｇ）等が発生する。紙詰まりが発生した場合、シュレッダーは作動することができず、しかも紙詰まりがひどい時、シュレッダーを損傷させてしまうこともある。上述のような状況が発生するのを避けるために、現在よく見られる対処方法は、シュレッダー内に厚み検出構造を特別に設置することで、被細断物の厚みがシュレッダーの正常に作動できる範囲を超えていないかどうか検出する方法である。
【０００３】
図１は、従来の厚み検出構造を具えるシュレッダーの構造の一部分の概略図である。シュレッダー１において、紙挿入口１１は紙細断経路１０２の上方に設置され、且つ当接素子１３は紙細断経路１２の一側に位置する。又、紙の厚みセンサ１４は当接素子１３の後方に設置される。図１において、厚み検出構造１４は、当接素子１３が後ろに移動する経路上に設置された光発射器１４１及び光受信器１４２から構成され、且つ厚み検出構造１０４と当接素子１３は、共同で単一素子形式の厚み検出構造を構成する。紙細断経路１２の終点には紙細断カッターセット１７が設置され、且つ連動ギアセット１６を紙細断カッターセット１７及び駆動モータ１５の間に設置し、紙細断カッターセット１７及び駆動モータ１５とそれぞれかみ合わせ、それにより、紙細断カッターセット１７は、駆動モータ１５の駆動と細断動作の実行を同時に行うことができる。
【０００４】
図１において、当接素子１３を具えるシュレッダー１が細断を行う時、被細断物（図示せず）は、紙挿入口１１からシュレッダー１の紙細断経路１２に入ってくる。続いて、被細断物は、紙細断経路１２内で当接素子１３に触れて当接し、それにより当接素子１３は後ろに移動して位移距離を作り出す。この時、厚み検出構造１４は、当接素子１３がセンサ光線を完全に遮れない程に後ろに移動したかどうか感知する。つまり、当接素子１３が当接されて後ろに移動した距離が十分でなく、光発射器１４１から生じたセンサ光線を完全に遮り光受信器１４２が受信できない時、被細断物は引き続き紙細断経路１２内を前進して細断の動作が行われる。しかし、反対の状況の時は、シュレッダー１は全ての作動を停止する。
【０００５】
その内、もし被細断物が当接したことによる当接素子１３の移動距離が不十分で光発射器１４１から生じるセンサ光線を完全に遮った場合、被細断物の厚みはシュレッダー１が許容できる範囲であるということを意味する。従って、被細断物は、引き続き紙細断経路１２内を前進することができる。しかも、被細断物が紙細断カッターセット１７に近づいた時、当接素子１３の下方に位置する紙細断センサ（図示せず）は、被細断物の接近を感知し、それにより駆動モータ１５及び駆動モータ１５に接続された連動ギアセット１６は回転を開始し、更に同時に、紙細断カッターセット１７は被細断物への細断動作の実行を始める。
【０００６】
当接素子１３と厚み検出構造１４が設置されたシュレッダー１は、移動距離の長さの関係に基づいて被細断物の厚みがシュレッダーの安全な作業範囲内かどうか判断することができ、更には、この装置を利用して紙詰まり等の故障が発生するのを防いで、シュレッダー１の使用寿命を延ばすことができる。
【０００７】
省エネの意識が高まる現代において、上述の従来のシュレッダー１は、省エネ構造が設置されていない。例を挙げて説明すると、その容許範圍を超えていないという前提の下、紙細断通路１２に入ってきた被細断物が五枚だった時、シュレッダー１の駆動モータ１５が固定の回転速度で回転して紙細断カッター１７に固定の紙細断トルクを提供することで、紙細断カッター１７は固定の紙細断トルクで五枚の被細断物を細断する。又、紙細断通路１２に入ってきた被細断物が二枚だった時も、駆動モータ１５は固定の回転速度で回転し、それにより紙細断カッター１７は固定の紙細断トルクで二枚の被細断物を細断する。このことから分かるように、従来のシュレッダー１は、紙細断通路１２に入ってきた被細断物の数量がどれくらいであろうと、同じ紙細断トルクで被細断物を細断するため、長時間使用した後、シュレッダー１が浪費するエネルギーは相当な量になる。従って、エネルギーを節約できる機能を具えたシュレッダーが必要とされている。
【発明の概要】
【発明が解決しようとする課題】
【０００８】
本発明の目的は、特にシュレッダーの周波数変換制御システムに応用される、エネルギーを節約することができる周波数変換制御システムを提供することにある。
【０００９】
本発明のもう一つの目的は、エネルギーを節約することができる周波数変換制御方法を提供することにある。
【課題を解決するための手段】
【００１０】
好ましい実施例において、本発明が提供するシュレッダーの周波数変換制御システムは、前記シュレッダーに入ってきた被細断物の厚みを検出しその厚みに基づいて厚み信号を出力することができる厚みセンサと、第一モータ回転速度又は第二モータ回転速度で回転し前記シュレッダーに動力を提供する変速モータと、前記変速モータ及び前記厚みセンサに接続され第一対照表を具える制御モジュールとを含み、その内、前記制御モジュールは、前記厚み信号を受信して前記第一対照表内から前記厚み信号に対応するモータ周波数値及びモータ電圧値を取得し、更に前記モータ周波数値及び前記モータ電圧値を前記変速モータに出力することにより、前記変速モータが前記第一モータ回転速度又は前記第二モータ回転速度で回転するように制御する。
【００１１】
好ましい実施例において、前記第一対照表は、第一厚み値及び前記第一厚み値に対応する第一モータ周波数値及び第一モータ電圧値を含み、前記被細断物の厚みが前記第一厚み値に等しい時、前記制御モジュールは前記第一モータ周波数値及び前記第一モータ電圧値を出力し、それにより前記変速モータは前記第一厚み値に対応する前記第一モータ回転速度で回転する。
【００１２】
好ましい実施例において、前記第一対照表は、第二厚み値及び前記第二厚み値に対応する第二モータ周波数値及び第二モータ電圧値を含む。前記被細断物の厚みが前記第二厚み値に等しいとき、前記制御モジュールは前記第二モータ周波数値及び前記第二モータ電圧値を出力し、それにより前記変速モータは前記第二厚み値に対応する前記第二モータ回転速度で回転する。
【００１３】
好ましい実施例において、前記第二厚み値は前記第一厚み値より大きく、前記第二モータ回転速度は前記第一モータ回転速度より小さい。
【００１４】
好ましい実施例において、前記制御モジュールは、
交流電源に接続され、前記交流電源からの交流電力を受け取り前記交流電力の周波数及び電圧を変えることができる周波数変換ユニットと、
前記周波数変換ユニット及び前記厚みセンサに接続され、前記第一厚み信号を受信し前記第一対照表内から前記第一厚み信号に対応する前記第一モータ周波数値及び前記第一モータ電圧値を取得し、更に前記第一モータ周波数値及び前記第一モータ電圧値を前記周波数変換ユニットに出力する制御ユニットとを更に含む。
【００１５】
好ましい実施例において、前記周波数変換ユニットは、前記交流電力を直流電力に変換し、更に前記直流電力を三相交流電力に変換する。その内、前記三相交流電力の周波数は前記第一モータ周波数値に等しく、前記三相交流電力の電圧は前記第一モータ電圧値に等しい。
【００１６】
好ましい実施例において、前記制御ユニットはデジタル信号処理器である。
【００１７】
好ましい実施例において、前記変速モータは三相交流モータである。
【００１８】
好ましい実施例において、本発明シュレッダーの周波数変換制御システムは、前記制御モジュール及び前記変速モータに接続され前記変速モータのパフォーマンス監視制御することができるモータ監視制御モジュールを更に含み、前記モータ監視制御モジュールは、前記変速モータの温度を検出できる温度センサと、前記変速モータの回転速度を検出できる回転速度センサと、前記変速モータの電流を検出できる電流センサとを含む。
【００１９】
好ましい実施例において、前記変速モータの回転速度が前記第一モータ回転速度と等しくなるように前記制御モジュールによって制御されたにもかかわらず、前記回転速度センサによって検出された前記変速モータの回転速度が前記第一モータ回転速度より大きいか小さい時、前記回転速度センサは回転速度補償信号を前記制御モジュールに出力し、それにより前記制御モジュールは前記変速モータの回転速度を速くしたり遅くしたりする。
【００２０】
好ましい実施例において、前記第一モータ回転速度の数値は前記第一対照表内に記載されている。
【００２１】
好ましい実施例において、前記電流センサは電流許容誤差を更に含み、前記変速モータの電流が第一モータ電流値に等しくなるように前記制御モジュールによって制御されたにもかかわらず、前記電流センサによって検出された前記変速モータの電流と前記第一モータ電流値の差が前記電流許容誤差より大きい時、前記電流センサは電流検出信号を出力して警告する。
【００２２】
好ましい実施例において、前記第一モータ電流値は前記第一対照表内に記載されている。
【００２３】
好ましい実施例において、前記変速モータの温度が所定の温度値より大きいか等しい時、前記温度センサはストップ信号を前記制御モジュールに出力し、それにより前記制御モジュールは前記変速モータの作動を停止させる。
【００２４】
好ましい実施例において、本発明シュレッダーの周波数変換制御システムは、前記制御モジュールに接続され前記被検出物が前記シュレッダーに入ってきたかどうか検出することができる紙挿入センサを更に含み、その内、前記被検出物が前記シュレッダーに入ってきた時、前記紙挿入センサは起動信号を前記制御モジュールに出力し、それにより前記制御モジュールは前記厚みセンサからの前記厚み信号の受信を開始する。
【００２５】
好ましい実施例において、本発明シュレッダーの周波数変換制御システムは、前記シュレッダーを省電力モードから高速モードに切り換えさせることができる、或いは前記高速モードから前記省電力モードに切り換えさせることができる、モード切換スイッチを更に含む。その内、前記シュレッダーが前記省電力モードに切り替えられた時、前記制御モジュールは、前記第一対照表に基づいて前記モータ周波数値及び前記モータ電圧値を前記変速モータに出力する。
【００２６】
好ましい実施例において、前記制御モジュールは、前記厚み信号に対応する高速モータ周波数値及び高速モータ電圧値を含む、第二対照表を更に含む。前記シュレッダーが前記高速モードに切り替えられた時、前記制御モジュールは、前記第二対照表に基づいて前記高速モータ周波数値及び前記高速モータ電圧値を前記変速モータに出力し、それにより、前記変速モータは前記高速モータ周波数値及び前記高速モータ電圧値に基づいて高速モータ回転速度で回転することができる。
【００２７】
好ましい実施例において、本発明は、シュレッダーの細断速度を制御することができる周波数変換制御方法を更に提供する。前記シュレッダーは、厚みセンサ、変速モータ及び第一対照表を含む。前記第一対照表は、複数の厚み値及び前記複数の厚み値に対応する複数のモータ周波数値及び複数のモータ電圧値を含む。又、前記方法は、
前記厚みセンサを用いて前記シュレッダーに入ってきた被細断物の厚みを検出する手順と、
前記第一対照表の前記複数の厚み値内から前記厚みに対応する第一厚み値を検索する手順と、
前記第一対照表の前記複数のモータ周波数値及び前記複数のモータ電圧値内から前記第一厚み値に対応する第一モータ周波数値及び第一モータ電圧値を検索する手順と、
前記第一モータ周波数値及び前記第一モータ電圧値を前記変速モータに出力し、前記変速モータが第一モータ回転速度で回転するように制御する手順とを含む。
【００２８】
好ましい実施例において、前記被細断物の厚みが前記複数の厚み数値内の第二厚み数値に等しい時、前記第一対照表内から前記第二厚み数値に対応する第二モータ周波数値及び第二モータ電圧値を検索し、前記第二モータ周波数値及び前記第二モータ電圧値に基づいて前記変速モータが第二モータ回転速度で回転するように制御する。
【００２９】
好ましい実施例において、前記第二厚み値は前記第一厚み値より大きく、前記第二モータ周波数値は前記第一モータ周波数値より小さく、前記第二モータ電圧値は前記第一モータ電圧値より小さく、前記第二モータ回転速度は前記第一モータ回転速度より小さい。
【００３０】
好ましい実施例において、本発明は、シュレッダーの細断速度を制御できる周波数変換制御方法を更に提供する。前記シュレッダーは、厚みセンサ、変速モータ、第一対照表及び第二対照表を含み、前記第一対照表は複数の厚み値及び前記複数の厚み値に対応する複数のモータ周波数値及び複数のモータ電圧値を具え、又、前記第二対照表は複数の厚み数値及び前記複数の厚み数値に対応する複数の設定モータ周波数値及び複数の設定モータ電圧値を具える。又、前記方法は、
前記シュレッダーを第一モードと第二モードのどちらで作動させるか選択し、その内、前記第一モードが選択された時は前記第一対照表を採用し、前記第二モードが選択された時は前記第二対照表を採用する手順と、
前記厚みセンサを用いて前記シュレッダーに入ってきた被細断物の厚みを検出する手順と、
前記第一対照表又は前記第二対照表の前記複数の厚み数値内から前記厚みに対応する第一厚み値を検索する手順と、
前記第一厚み値に基づいて前記第一厚み値に対応する第一モータ周波数値及び第一モータ電圧値、或いは第一設定モータ周波数値及び第一設定モータ電圧値を取得する手順と、
前記第一モータ周波数値及び前記第一モータ電圧値、或いは前記第一設定モータ周波数値及び前記第一設定モータ電圧値を前記変速モータに出力し、前記変速モータが第一モータ回転速度又は第一設定モータ回転速度で回転するように制御する手順とを含む。
【００３１】
好ましい実施例において、前記第一モードは省電力モードであり、前記第二モードは高速モードであり、しかも、前記高速モードに対応する前記第一設定モータ周波数値、前記第一設定モータ電圧値及び前記第一設定モータ回転速度は、それぞれ第一高速モータ周波数値、前記第一高速モータ電圧値及び前記第一高速モータ回転速度であり、前記第一モータ回転速度は前記第一高速モータ回転速度より小さい。
【００３２】
好ましい実施例において、前記第一モードは省電力モードであり、前記第二モードはサイレントモードであり、しかも、前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、前記第一モータ回転速度は前記第一サイレントモータ回転速度より大きい。
【００３３】
好ましい実施例において、前記第一モードは高速モードであり、前記第二モードはサイレントモードであり、しかも、前記高速モードに対応する前記第一モータ周波数値、前記第一モータ電圧値及び前記第一モータ回転速度は、それぞれ第一高速モータ周波数値、第一高速モータ電圧値及び第一高速モータ回転速度であり、又、前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、前記第一高速モータ回転速度は前記第一サイレントモータ回転速度より大きい。
【００３４】
好ましい実施例において、本発明の周波数変換制御方法は第三モードを更に含む。その内、前記第一モードは省電力モードであり、前記第二モードは高速モードであり、前記第三モードはサイレントモードであり、しかも、前記高速モードに対応する前記第一設定モータ周波数値、前記第一設定モータ電圧値及び前記第一設定モータ回転速度は、それぞれ第一高速モータ周波数値、第一高速モータ電圧値及び第一高速モータ回転速度であり、又、前記サイレントモードに対応する前記第一設定モータ周波数値、前記第一設定モータ電圧値及び前記第一設定モータ回転速度は、それぞれ第一サイレントモータ周波数値、第一サイレントモータ電圧値及び第一サイレントモータ回転速度であり、前記第一サイレントモータ回転速度は前記第一モータ回転速度より小さく、前記第一モータ回転速度は前記第一高速モータ回転速度より小さい。
【図面の簡単な説明】
【００３５】
【図１】従来の厚み検出構造を具えるシュレッダーの構造の一部分の概略図である。
【図２】本発明の周波数変換制御方法の好ましい実施例１におけるブロックフローチャートである。
【図３】本発明のシュレッダーの周波数変換制御システムの好ましい実施例１におけるシステム概略図である。
【図４】本発明の周波数変換制御方法の好ましい実施例２におけるブロックフローチャートである。
【図５】本発明のシュレッダーの周波数変換制御システムの好ましい実施例２におけるシステム概略図である。
【発明を実施するための形態】
【実施例】
【００３６】
従来のシュレッダーは省エネ構造を有さないためエネルギーの浪費が生じてしまうことを鑑み、本発明は、シュレッダーの周波数変換制御システム及び周波数変換制御方法を提供し、従来のシュレッダーの欠点を改善する。本発明の周波数変換制御方法は、シュレッダーに入ってきた被細断物の厚みを検出し、シュレッダーに毎回入ってくるそれぞれの被細断物の厚みに基づいて変速モータの回転速度を速くしたり遅くしたりすることで、エネルギーの浪費を避けることができる。
【００３７】
図２は、本発明の周波数変換制御方法の好ましい実施例１におけるブロックフローチャートである。本発明の周波数変換制御方法は、以下の手順を含む。手順Ｓ１─厚みセンサを用いてシュレッダーに入ってきた被細断物の厚みを検出する。手順Ｓ２─第一対照表の複数の厚み値内から厚みに対応する第一厚み値を検索する。手順Ｓ３─第一対照表の複数のモータ周波数値及び複数のモータ電圧値内から第一厚み値に対応する第一モータ周波数値及び第一モータ電圧値を検索する。手順Ｓ４─第一モータ周波数値及び第一モータ電圧値を変速モータに出力し、変速モータが第一モータ回転速度で回転するように制御する。上述の手順から分かるように、本発明の周波数変換制御方法は、検出された被検出物の厚みに基づき第一対照表内から前記厚みに対応するモータ周波数値及びモータ電圧値を検索することで、変速モータの回転速度を制御する。
【００３８】
周波数変換制御方法を実施に関する構造は図３を参照する。図３は、本発明のシュレッダーの周波数変換制御システムの好ましい実施例１におけるシステム概略図である。シュレッダー２の周波数変換制御システム２０は、厚みセンサ２１、変速モータ２２及び制御モジュール２３を含む。前記厚みセンサ２１は、制御モジュール２３に接続され、シュレッダー２に入ってきた被細断物（図示せず）の厚みを検出しその厚みに基づいて厚み信号を制御モジュール２３に出力することができる。前記変速モータ２２は、第一モータ回転速度又は第二モータ回転速度で回転し、動力をシュレッダー２に提供することができる。この好ましい実施例において、変速モータ２２は三相交流モータである。又、制御モジュール２３は、変速モータ２２及び厚みセンサ２１に接続され、第一対照表２３２１を具える。前記制御モジュール２３は、厚み信号Ｔを受信し、第一対照表２３２１内から前記厚み信号に対応するモータ周波数値及びモータ電圧値を検索し、更に前記モータ周波数値及び前記モータ電圧値を変速モータ２２に出力することで、変速モータ２２が前記第一モータ回転速度又は前記第二モータ回転速度で回転するように制御する。
【００３９】
この好ましい実施例において、制御モジュール２３は、周波数変換ユニット２３１及び制御ユニット２３２を含む。周波数変換ユニット２３１は、交流電源２６に接続され、交流電源２６からの交流電力を受け取って前記交流電力の周波数及び電圧を変えることができる。又、制御ユニット２３２は、周波数変換ユニット２３１及び厚みセンサ２１に接続され、厚み信号を受信して第一対照表２３２１内から前記厚み信号に対応するモータ周波数値及びモータ電圧値を検索し、更に前記モータ周波数値及び前記モータ電圧値を周波数変換ユニット２３１に出力することができる。その内、周波数変換ユニット２３１はデジタル信号処理器（Ｄｉｇｉｔａｌ  Ｓｉｇｎａｌ  Ｐｒｏｃｅｓｓｏｒ、ＤＳＰ）である。又、第一対照表２３２１にはモータ作動のデータが記載されている。その内容を以下に示す：
【表１】
0005469426.tif 000002
【００４０】
この好ましい実施例において、第一対照表２３２１の被細断物の厚みに対応する単位は設定枚数である。もちろん、対照表内の被細断物の厚みは、設定枚数を単位にすることに限定されず、測定する厚みの単位（例えばミリメートル）の表示に設定することもできる。第一対照表２３２１は、被細断物の設定枚数が１の時の変速モータ２２の作動データである第一モータ周波数値Ｆ１、第一モータ電圧値Ｖ１、第一モータ電流値Ｉ１、第一モータ回転速度ＲＰＭ１の数値、及び被細断物の設定枚数が２の時の変速モータ２２の作動データである第二モータ周波数値Ｆ２、第二モータ電圧値Ｖ２、第二モータ電流値Ｉ２、第二モータ回転速度ＲＰＭ２の数値等が記載されている。第一対照表２３２１において、第一モータ周波数値Ｆ１は最終モータ周波数値ＦＮより大きく、第一モータ回転速度ＲＰＭ１は最終モータ回転速度ＲＰＭＮより大きい。第一対照表２３２１内のデータは、繰り返し実験を行って取得したものであり、変速モータ２２は第一対照表２３２１内のデータ通りに作動して紙細断作業を行うため、エネルギーを節約することができる。
【００４１】
周波数変換制御システム２０は、被細断物の厚みに基づいて第一対照表２３２１内から表の検索を行い、変速モータ２２に出力すべき周波数及び電圧を取得する。本発明の周波数変換制御システム２０の主旨は、制御モジュール２３によって変速モータ２２が第一対照表２３２１内のモータ回転速度で回転させることができ、変速モータ２２が正常に作動しているかどうかに関しては、周波数変換制御システム２０内にモータ監視制御モジュール２４を設置することで変速モータ２２のパフォーマンスを監視制御する必要がある、という点にある。図３において、モータ監視制御モジュール２４は、温度センサ２４１、回転速度センサ２４２及び電流センサ２４３を含む。前記温度センサ２４１は変速モータ２２の温度を検出することができ、前記回転速度センサ２４２は変速モータ２２の回転速度を検出することができ、前記電流センサ２４３は変速モータ２２の電流を検出することができる。
【００４２】
その他、周波数変換制御システム２０には更に紙挿入センサ２５を設置する。紙挿入センサ２５は、制御モジュール２３に接続され、被検出物がシュレッダー２に入ってきたかどうか検出することができる。被検出物がシュレッダー２に入ってきた時、紙挿入センサ２５は起動信号を制御モジュール２３に出力し、それにより制御モジュール２３は厚みセンサ２１からの厚み信号の受信を開始する。紙挿入センサ２５を設置することで、制御モジュール２３が受信した信号が、確実に、厚みセンサ２１が被細断物の厚みを検出して出力した厚み信号であることを確保する。又、紙挿入センサ２５は、更に被検出物がシュレッダー２から排出されたかどうか検出することができ、被検出物がシュレッダー２から排出された後、厚みセンサ２１は、次の被検出物の厚みを検出できるようにゼロに戻る。
【００４３】
続いて、シュレッダー２の周波数変換制御システム２０の作動状況を説明する。図３に示すように、被細断物がシュレッダー２に入ってきた時、紙挿入センサ２５は被細断物の進入を検出して起動信号Ｅを制御モジュール２３の制御ユニット２３２に出力し、それにより制御ユニット２３２は厚みセンサ２１からの厚み信号の受信を開始する。もう一方で、厚み検出器２１は被細断物の厚みを検出する。例えば、被検出物の厚みが一枚の設定枚数である場合、厚み検出器２１は厚み信号Ｔを出力し、その厚み信号Ｔは厚みが一枚の設定枚数であるというメッセージを含む。制御ユニット２３２は厚み信号Ｔを受信した後、第一対照表２３２１内から厚み信号Ｔに対応する厚み値、即ち枚数１、を検索し、第一対照表２３２１から枚数が１の時の変速モータ２２の作動データである第一モータ周波数値Ｆ１、第一モータ電圧値Ｖ１、第一モータ電流値Ｉ１、第一モータ回転速度ＲＰＭ１の数値を取得する。更に、制御ユニット２３２は第一モータ周波数値Ｆ１、第一モータ電圧値Ｖ１を周波数変換ユニット２３１に出力する。
【００４４】
第一モータ周波数値Ｆ１、第一モータ電圧値Ｖ１を受信した周波数変換ユニット２３１は、交流電源２６からの交流電力も受け取る。又、周波数変換ユニット２３１は、交流電力を直流電力２７に変換し、更に直流電力２７を三相交流電力２８に変換する。その内、三相交流電力２８の周波数は第一モータ周波数値Ｆ１と等しく、三相交流電力２８の電圧は第一モータ電圧値Ｖ１と等しい。続いて、三相交流電力２８は変速モータ２２に出力され、それにより変速モータ２２は第一モータ回転速度ＲＰＭ１で回転する。同様に、厚み検出器２１によって被細断物の厚みが二枚の設定枚数であると検出された時、制御ユニット２３２は、二枚の設定枚数であるというメッセージを含む厚み信号Ｔに基づき、第一対照表２３２１内から厚み信号Ｔに対応する厚み値（即ち枚数２）を検索し、第一対照表２３２１から、枚数が２の時に対応する第二モータ周波数値Ｆ２及び第二モータ電圧値Ｖ２を変速モータ２２に出力し、それにより変速モータ２２は第二モータ回転速度ＲＰＭ２で回転する。
【００４５】
変速モータ２２が作動する過程において、モータ監視制御モジュール２４の回転速度センサ２４２及び電流センサ２４３は、変速モータ２２が第一対照表２３２１内のデータのように作動しているかどうか監視制御する。変速モータ２２の回転速度が第一モータ回転速度ＲＰＭ１に等しくなるように制御モジュール２３の制御ユニット２３２によって制御されたにもかかわらず、回転速度センサ２４２によって検出された変速モータ２２の回転速度が第一モータ回転速度ＲＰＭ１より大きい時、回転速度センサ２４２は回転速度補償信号ＲＣを制御ユニット２３２に出力し、それにより制御ユニット２３２は変速モータ２２の回転速度を遅くして変速モータ２２の回転速度を第一モータ回転速度ＲＰＭ１に等しくなるようにする。反対に、変速モータ２２の回転速度が第一モータ回転速度ＲＰＭ１より小さい時、制御ユニット２３２は変速モータ２２の回転速度を速めて変速モータ２２の回転速度と第一モータ回転速度ＲＰＭ１を等しくし、最適な回転速度で作動させる。簡単に言うと、回転速度センサ２４２は、一種の回転速度を制御する閉回路サーボシステムである。
【００４６】
又、変速モータ２２の電流を検出することができる電流センサ２４３は、変速モータの電流が第一モータ電流値Ｉ１に等しいかどうか検出する。その内、電流センサ２４３には電流許容誤差が設置される。この好ましい実施例において、電流許容誤差は、プラスマイナス百分の十に設定される。電流センサ２４３によって、変速モータ２２の電流と第一モータ電流値Ｉ１の差が所定の百分の十より大きいと検出された時、電流センサ２４３は電流検出信号ＣＤを出力し、使用者にモータの作動異常を警告する。
【００４７】
その他、制御ユニット２３２内には、所定の温度値を更に設置する。変速モータ２２の温度が所定の温度値より大きいか等しい時、変速モータ２２は過熱状態にあり休ませる必要があることを意味する。変速モータ２２が過熱により焼けて壊れてしまうのを避けるために、モータ監視制御モジュール２４の温度センサ２４１は、変速モータ２２が作動している時にその温度を検出し、変速モータ２２の温度が所定の温度値より大きいか等しい時、温度センサ２４１はストップ信号Ｓを制御モジュール２３の制御ユニット２３２に出力し、それにより制御ユニット２３２は変速モータ２２の作動を停止する。モータ監視制御モジュール２４の温度センサ２４１は、変速モータ２２を保護するために設置され、回転速度センサ２４２及び電流センサ２４３は、変速モータ２２が第一対照表２３２１内のデータを通りに作動することを確保するために設置される。
【００４８】
本発明の周波数変換制御システム及びその方法は、変速モータ２２が第一対照表２３２１内のデータ通りに作動するように制御し、正確な紙細断作業を達成しエネルギーの浪費を少なくする。その他、更に完全な機能を使用者に提供するために、本発明は。更に、もう一つの好ましい実施例のシュレッダーの周波数変換制御システム及び周波数変換制御方法を提供する。
【００４９】
図４は、本発明の周波数変換制御方法の好ましい実施例２におけるブロックフローチャートである。本発明の周波数変換制御方法は、以下の手順を含む。手順Ｓ１’─シュレッダーを省電力モードと高速モードのどちらで作動させるか選択する。手順Ｓ２’─厚みセンサを用いてシュレッダーに入ってくる被細断物の厚みを検出する。省電力モードが選択された時、手順Ｓ３’を行う  ─第一対照表の複数の厚み数値内から厚みに対応する第一厚み値を検索する。手順Ｓ４’─第一厚み値に基づいて、第一厚み値に対応する第一モータ周波数値及び第一モータ電圧値を取得する。手順Ｓ５’─第一モータ周波数値及び第一モータ電圧値を変速モータに出力し、変速モータが第一モータ回転速度で回転するように制御して、省電力モードは終了する。
【００５０】
高速モードが選択された時、手順Ｓ６’を行う  ─第二対照表の複数の厚み数値内から厚みに対応する第一厚み値を検索する。手順Ｓ７’─第一厚み値に基づいて、第一厚み値に対応する第一高速モータ周波数値及び第一高速モータ電圧値を取得する。手順Ｓ８’ ─第一高速モータ周波数値及び第一高速モータ電圧値を変速モータに出力し、変速モータが第一高速モータ回転速度で回転するように制御し、高速モードは終了する。上述の手順から分かるように、好ましい実施例２の周波数変換制御方法は、シュレッダーを省電力モードと高速モードのどちらで作動させるか選択することにより、シュレッダーに省電力と時間節約機能を具えていてほしいという使用者の希望を満足させることができる。  
【００５１】
続いて、図５は、本発明のシュレッダーの周波数変換制御システムの好ましい実施例２におけるシステム概略図である。シュレッダー３の周波数変換制御システム３０は、厚みセンサ３１、変速モータ３２、制御モジュール３３、モータ監視制御モジュール３４、紙挿入センサ３５及びモード切換スイッチ３９を含む。大まかに言うと、周波数変換制御システム３０の構造は、好ましい実施例１の周波数変換制御システム２０とほとんど同じであり、ここでは説明を省略する。その違いは、周波数変換制御システム３０は更にモード切換スイッチ３９を設置し、シュレッダー３を省電力モードから高速モードに、又は高速モードから省電力モードに切り換えることができる点である。シュレッダー３が省電力モードに切り替えられた時、制御モジュール２３は、第一対照表３３２１（第一好ましい実施例の第一対照表２３２１と完全に同じ）に基づいてモータ周波数値及びモータ電圧値を変速モータ３２に出力する。その他、周波数変換制御システム３０の制御モジュール３３の制御ユニット３２２は、シュレッダー３が高速モードに選択された時の変速モータ３２の作動データが記載されている第二対照表３３２２を更に含む。第二対照表３３２２を以下に示す：
【表２】
0005469426.tif 000003
【００５２】
第二対照表３３２２には、被細断物の枚数が１の時の変速モータ３２稼動データである第一高速モータ周波数値Ｆ１＊、第一高速モータ電圧値Ｖ１＊、第一高速モータ電流値Ｉ１＊、第一高速モータ回転速度ＲＰＭ１＊の数値、及び被細断物の枚数が３の時の変速モータ３２の稼動データである第三高速モータ周波数値Ｆ３＊、第三高速モータ電圧値Ｖ３＊、第三高速モータ電流値Ｉ３＊、第三高速モータ回転速度ＲＰＭ３＊の数値等が記載されている。第二対照表３３２２において、第一高速モータ周波数値Ｆ１＊は最終高速モータ周波数値ＦＮ＊より大きく、第一高速モータ回転速度ＲＰＭ１＊は最終高速モータ回転速度ＲＰＭ  Ｎ＊より大きい。第一対照表３３２１と比較すると、第一高速モータ回転速度ＲＰＭ１＊は第一モータ回転速度ＲＰＭ  １より大きく、最終高速モータ回転速度ＲＰＭ  Ｎ＊は最終モータ回転速度ＲＰＭ  Ｎより大きい。第二対照表３３２２内のデータは繰り返し行われた実験によって取得されたものであり、変速モータ２２は第二対照表３３２２内のデータ通りに作動し、高速の細断作業を行うことができる。
【００５３】
続いて、シュレッダー３の周波数変換制御システム３０の作動状況を説明する。引き続き図５を参照する。シュレッダー３が省電力モードを選択され、且つ被細断物（図示せず）がシュレッダー３に入ってきた時、紙挿入センサ３５は、被細断物の進入を検出し起動信号Ｅ’を制御モジュール３３の制御ユニット３３２に出力し、それにより制御ユニット３３２は、厚みセンサ３１からの厚み信号を受信し始める。例えば、被検出物の厚みが一枚の設定枚数である場合、厚み検出器３１は、被細断物の厚みを検出し、厚みが一枚の設定枚数であるというメッセージを含む厚み信号Ｔ’を制御ユニット３３２に出力し、それにより制御ユニット３３２は、第一対照表３３２１内から厚み信号Ｔ’に対応する厚み値（即ち枚数１）を検索し、第一モータ周波数値Ｆ１、第一モータ電圧値Ｖ１を周波数変換ユニット３３１に出力する。
【００５４】
もう一方で、周波数変換ユニット３３１は、交流電源３６からの交流電力を受け取り、交流電力を直流電力３７に変換し、更に直流電力３７を相交流電力３８に変換する。三相交流電力３８の周波数は第一モータ周波数値Ｆ１と等しく、三相交流電力３８の電圧は第一モータ電圧値Ｖ１と等しい。続いて、三相交流電力３８は変速モータ３２に出力され、それにより変速モータ３２は第一モータ回転速度ＲＰＭ１で回転するため、エネルギーを節約することができる。
【００５５】
又、使用者が急いで被細断物を細断したい時、モード切換スイッチ３９を用いて、シュレッダー３を省電力モードから高速モードに切り換えることができる。三枚の被細断物がシュレッダー３に入ってきた時、紙挿入センサ３５は被細断物の進入を検出し起動信号Ｅ’を出力する。又、厚み検出器３１は、被細断物の厚みを検出し、三枚の所定枚数であるというメッセージを含む厚み信号Ｔ’を制御ユニット３３２に出力する。制御ユニット３３２は、第二対照表３３２２内から厚み信号Ｔ’に対応する厚み値（即ち枚数３）を検索し、第三高速モータ周波数値Ｆ３＊及び第三高速モータ電圧値Ｖ３＊を周波数変換ユニット３３１に出力する。周波数変換ユニット３３１は、第三高速モータ周波数値Ｆ３＊及び第三高速モータ電圧値Ｖ３＊に基づいて交流電力を三相交流電力２８に変換し、三相交流電力２８を変速モータ３２に出力し、それにより変速モータ３２は第三高速モータ回転速度ＲＰＭ３＊で回転する。
【００５６】
変速モータ３２の作動過程において、モータ監視制御モジュール３４の温度センサ３４１、回転速度センサ３４２及び電流センサ３４３は、変速モータ２２が第一対照表３３２１又は第二対照表３３２２内のデータ通りに作動しているかどうか監視制御する。モータ監視制御モジュール３４の作動状況は好ましい実施例１と同じであり、ここでは記載を省略する。特に説明が必要なのは、この好ましい実施例では、第一モードを省電力モードとし、第二モードを高速モードとして説明しているだけであるが、第一モードを省電力モード、第二モードを高速モードに限定しているわけではなく、第一モード及び第二モードは、更にその他のモードに設定することができる。
【００５７】
その他、軽くて薄いシュレッダーは、通常事務所内に置かれるが、シュレッダーが作動する時に生じる騒音は相当大きい。これにより、往々にして事務所内の人の聴覚上の負担になっている。従って、本発明シュレッダーの周波数変換制御システムは、更に好ましい実施例３を提供する。好ましい実施例３の周波数変換制御システムの構造と好ましい実施例２の周波数変換制御システムとほとんど同じであるため、ここでは説明を省略する。その違いは、好ましい実施例３の周波数変換制御システムは、余分に第三モードを設置している点だけである。その第三モードはサイレントモードである。又、サイレントモードに対応する第三対照表に記載されている作動データは、複数のサイレントモータ周波数値、複数のサイレントモータ電圧値、複数のサイレントモータ電流値及び複数のサイレントモータ回転速度の数値を含む。第三対照表は以下に示す：
【表３】
0005469426.tif 000004
【００５８】
特に説明が必要なのは、第一サイレントモータ回転速度ＲＰＭ１’は第一モータ回転速度ＲＰＭ１に比べて遅いので、生じる騒音を小さくすることができる。又、シュレッダーの周波数変換制御システムは、サイレントモータ周波数値及びサイレントモータ電圧値を調整することにより、モータをより低速のサイレントモータ回転速度で回転させ、同時に紙細断のトルクを持たせることができる。
【００５９】
上述から分かるように、本発明シュレッダーの周波数変換制御システム及び周波数変換制御方法は、被細断物の厚みに基づいてどのくらいの動力を変速モータに提供するか決定し、それにより、変速モータは適切な回転速度で回転しエネルギーを節約することができる。その他、本発明のシュレッダーの周波数変換制御システムは、対照表を更に提供することで、検出された被細断物の厚みに基づいて変速モータの回転速度を制御し、制御ユニットは、その厚みに対して計算を行うことなく変速モータに提供するべき動力を取得することができる。従って、本発明のシュレッダーの周波数変換制御システムは、解析時間を省くことができ、しかも、作動させるのにそれほど高機能の制御ユニットを必要としない。
【００６０】
省エネの効果を有する以外に、本発明のシュレッダーの周波数変換制御システムは、高速モードを更に提供することで、変速モータに許容範囲内の最高回転速度で回転させ、紙細断時間を節約し、使用者の需要を満足させることができる。従来の技術と比較すると、本発明のシュレッダーは、確実に、多くのエネルギーを節約することができる。
【００６１】
上記内容は本発明の好ましい実施例に過ぎず、本発明の特許申請範囲を限定するものではないため、本発明で開示した趣旨を逸脱しないで完成された等価変更若しくは補正は、全て本案における特許申請の範囲内に含まれるものとする。
【符号の説明】
【００６２】
１、２、３、  シュレッダー
１１  紙挿入口
１２  紙細断経路
１３  当接素子
１４  厚み検出構造
１５  駆動モータ
１６  連動ギアセット
１７  紙細断カッターセット
２０、３０  周波数変換制御システム
２１、３１  厚みセンサ
２２、３２  変速モータ
２３、３３  制御モジュール
２４、３４  モータ監視制御モジュール
２５、３５  紙挿入センサ
２６、３６  交流電源
２７、３７  直流電力
２８、３８  三相交流電力
３９  モード切換スイッチ
１４１  光発射器
１４２  光受信器
２３１、３３１  周波数変換ユニット
２３２、３３２  制御ユニット
２４１、３４１  温度センサ
２４２、３４２  回転速度センサ
２４３、３４３  電流センサ
２３２１、３３２１、３３２２  対照表
Ｅ、Ｅ’  起動信号
Ｔ、Ｔ’  厚み信号
Ｓ  ストップ信号
ＣＤ  電流検出信号
ＲＣ  回転速度補償信号
Ｓ１〜Ｓ４、Ｓ１’〜Ｓ８’  手順
【図１】
0005469426.tif 000005
【図２】
0005469426.tif 000006
【図３】
0005469426.tif 000007
【図４】
0005469426.tif 000008
【図５】
0005469426.tif 000009